(57)【特許請求の範囲】
【請求項１】
錘部の自重によって鉛直方向に向くように揺動可能に設けられた振子部と、
当該振子部に接触可能に設けられた導電体とを備え、前記振子部を導電体に接触させることによって傾斜状態を検出できるようにした傾斜検出装置において、
前記導電体を、鉛直状態における振子部の棒状部材の軸方向に沿って螺着させ、
当該導電体を螺旋状に回転させることで鉛直軸方向に導電体を上下方向に変位させて、前記振子部の先端に設けられた尖状体との接触位置を調整できるようにしたことを特徴とする傾斜検出装置。
【請求項２】
前記導電体が、下方に開口するように螺着され、前記振子部の上端に設けられた尖状体を導電体の下方の開口部から挿入させるようにしたものである請求項１に記載の傾斜検出装置。
【請求項３】
前記振子部が、下方に錘部を有し、金属プレートの中央部分を上方に湾曲させた凸状部に円形穴を形成し、当該円形穴に球状体を載せて揺動支点とし、上端部を前記導電体に接触させるようにしたものである請求項１に記載の傾斜検出装置。
【発明の詳細な説明】
【技術分野】
【０００１】
本発明は、土砂崩れなどを事前に検出できるようにした装置に関するものであり、より詳しくは、傾斜面に設置した装置の傾斜検出角度を調整できるようにした傾斜検出装置に関するものである。
【背景技術】
【０００２】
近年、集中豪雨などの増加に伴って土砂崩れなどが多く起こってきており、道路の寸断や宅地被害などが多く報告されている。そこで、このような土砂崩れを事前に察知して報知できるようにした装置として、例えば、下記の特許文献１などに記載されるような装置が提案されている。
【０００３】
このような装置は、図６に示すように、金属線９１に吊された金属球９２をリング状の導電体９３に接触させるようにしたものであって、この傾斜検出装置を設置した地盤が傾斜した際に、金属球９２をリング状の導電体９３に接触させ、これによって、土砂崩れなどを事前に検出できるようにしたものである。
【先行技術文献】
【特許文献】
【０００４】
【特許文献１】特開平１１−２４１９１９号公報
【発明の概要】
【発明が解決しようとする課題】
【０００５】
しかしながら、このような傾斜検出装置を用いて傾斜状態を検出する場合、次のような問題がある。
【０００６】
すなわち、このような傾斜検出装置を傾斜面などに設置する場合、地盤の状態に応じて傾斜検出角度を設定する必要がある場合があるが、上記特許文献１に記載されるような装置では、金属球９２をリング状の導電体９３に接触させるような構造となっているため、傾斜検出角度を大きくするには、その導電体９３を内径の大きな別の導電体９３に付け替えなければならない。しかるに、このように導電体９３を付け替える場合、その装置を一旦持ち帰って分解し、他の導電体９３に付け替える必要があるため、非常に手間や時間がかかるといった問題があった。
【０００７】
そこで、本発明は上記課題に着目してなされたもので、検出できる傾斜検出角度を簡単に調整できるようにした傾斜検出装置を提供することを目的とする。
【課題を解決するための手段】
【０００８】
すなわち、本発明は上記課題を解決するために、錘部の自重によって鉛直方向に向くように揺動可能に設けられた振子部と、当該振子部に接触可能に設けられた導電体とを備え、前記振子部を導電体に接触させることによって傾斜状態を検出できるようにした傾斜検出装置において、前記導電体を、鉛直状態における振子部の棒状部材の軸方向に沿って螺着させ、当該導電体を螺旋状に回転させることで鉛直軸方向に導電体を上下方向に変位させて、前記振子部の先端に設けられた尖状体との接触位置を調整できるようにしたものである。
【０００９】
このように構成すれば、振子部と導電体との鉛直方向の距離を変えることによって、検出できる傾斜検出角度を調整することができるため、従来のようにリング状の導電体を付け替える必要がなく、設置現場で簡単に傾斜検出角度を調整することができるようになる。
【００１０】
また、このような発明において、前記導電体を、下方に開口するように螺着され、前記振子部の上端に設けられた尖状体を導電体の下方の開口部から挿入させるようにしたものを用いる。
【００１１】
このように構成すれば、導電体が上側に配置されているので、結露などで水滴を生じた場合であっても、その導電体の内部に水が溜まるようなことがなくなる。
【００１２】
さらに、前記振子部を構成する場合、下方に錘部を有し、金属プレートの中央部分を上方に湾曲させた凸状部に円形穴を形成し、当該円形穴に球状体を載せて揺動支点とし、上端部を前記導電体に接触させるようにする。
【００１３】
このように構成すれば、重い錘部を設けた場合であっても、凸状の金属プレートに設けられた円形穴に載せるようにしているので、金属プレートが撓むようなことがなくなり、また、結露によって金属球と円形穴との間に水が溜まるようなことがなくなる。
【発明の効果】
【００１４】
本発明によれば、錘部の自重によって鉛直方向に向くように揺動可能に設けられた振子部と、当該振子部に接触可能に設けられた導電体とを備え、前記振子部を導電体に接触させることによって傾斜状態を検出できるようにした傾斜検出装置において、前記導電体を、鉛直状態における振子部の棒状部材の軸方向に沿って螺着させ、当該導電体を螺旋状に回転させることで鉛直軸方向に導電体を上下方向に変位させて、前記振子部の先端に設けられた尖状体との接触位置を調整できるようにしたので、導電体との鉛直方向の距離を変えることで、検出できる傾斜検出角度を調整することができる。これにより、従来のようにリング状の導電体を付け替える必要がなく、設置現場で簡単に傾斜検出角度を調整することができるようになる。
【図面の簡単な説明】
【００１５】
【図１】本発明の一実施の形態における傾斜検出装置の概略図
【図２】同形態における傾斜検出部の拡大図
【図３】同形態における振子部が傾斜した状態を示す図
【図４】同形態における導電体を下ろした状態の検出角度を示す図
【図５】他の実施の形態における振子部と導電体を示す図
【図６】従来例における傾斜検出装置を示す図
【発明を実施するための形態】
【００１６】
以下、本発明の位置実施の形態について図面を参照して説明する。
【００１７】
この実施の形態における傾斜検出装置１は、道路や宅地横の傾斜面などに設置されるものであって、図１に示すように、下端部を地面から起立するように埋設される筐体部２と、その筐体部２の内部に設けられ、筐体部２の傾斜状態を検出する傾斜検出部８と、その傾斜検出部８が一定角度以上の傾斜状態を検出した場合に報知を行う報知部７とを設けるようにしたものである。そして、特徴的に、その傾斜検出部８を、下端に設けられた錘部３１の自重によって常に鉛直方向に向くように揺動可能に設けられた棒状の振子部３と、その振子部３の上端部分に設けられた尖状体３４に接触可能に設けられた導電体５とを設け、図３や図４に示すように、その導電体５と尖状体３４を接触させることによって報知させるとともに、傾斜検出角度を調整する場合は、導電体５と尖状体３４との鉛直方向の距離を調整することで、傾斜検出角度を調整できるようにしたものである。以下、本実施の形態における傾斜検出装置１の構成について詳細に説明する。
【００１８】
まず、筐体部２は、図１に示すように、下端部分を地面に埋設させるようにした埋設部２１と、地面の上方に位置するように設けられる中空部２２とを設けるように構成されている。このうち、埋設部２１は下端部分を尖らせて地面に差し込めるような形状となっており、一方、中空部２２については、密閉された内部空間内に傾斜検出部８を設けるように構成されている。また、この中空部２２の上部には開閉可能な蓋部２３が設けられており、この蓋部２３を開けることで後述する傾斜検出角度を調整できるようにしている。
【００１９】
この中空部２２に設けられる傾斜検出部８は、振子部３の傾斜状態を検出できるようにしたものであって、振子部３を構成する金属製の棒状部材３２の下方に設けられた錘部３１を振れさせ、これによって、上端部分である尖状体３４を導電体５に接触させて傾斜状態を検出できるようにしたものである。この振子部３を揺動させる場合、図２から図４に示すように、中央部分に設けられた金属製の球状体３３を金属プレート４の円形穴４１に載せ、これによって、錘部３１の自重によって球状体３３を支点として棒状部材３２を揺動させるようにしている。ところで、このような金属プレート４に円形穴４１を設けて球状体３３を載せる場合、その重みで金属プレート４が下方に撓んで、円形穴４１と球状体３３との接触部分に結露で生じた水などが溜まってしまう可能性がある。このため、この実施の形態では、金属プレート４の中央部分を上方に湾曲させた凸状部４２を設け、その凸状部４２の中央部分に円形穴４１を形成して球状体３３を載せるようにしている。そして、このように構成することによって、仮に結露で水滴を生じた場合であっても、その水滴を凸状部４２から下方に流し、球状体３３との接触部分に水を付着させないようにしている。
【００２０】
一方、この棒状部材３２の上端部分には、尖状体３４が設けられる。この尖状体３４は先端部分を尖らせた円錐形状をなす金属部材で構成されており、棒状部材３２の先端部分に形成されたネジ山に螺着させることで着脱可能に取り付けられている。
【００２１】
導電体５は、この振子部３の軸方向の真上に設けられるものであって、例えば、金属ナットなどの中空状の金属部材で構成されている。この導電体５は、上方に設けられたボルト６に螺着されるように取り付けられており、この金属ナットを回転させることによって鉛直方向の位置を変位可能に取り付けられている。また、この導電体５は、振子部３の尖状体３４を内側中空部２２に収められるような位置に設けられており、振子部３を振れさせることによって、尖状体３４の先端部分を内壁面に接触させたり、あるいは、尖状体３４の外周部分を導電体５の下端部の縁部に接触させるようになっている。
【００２２】
また、このような金属プレート４および金属ナットで構成された導電体５には、図１に示すように、導線を介して通電部８１が接続されている。そして、振子部３の尖状体３４が導電体５に接触することによって、金属製の振子部３と導電体５を通電させ、報知部７を介して傾斜したことを外部に報知できるようにしている。この報知部７は、筐体部２の上部に設けられたＬＥＤなどの照明を点灯させたり、スピーカーを介して警報音を出力したり、あるいは、図示しない無線部を介して中継局などに傾斜状態を通報できるようにしている。
【００２３】
次に、このように構成された傾斜検出装置１の作用について説明する。
【００２４】
まず、傾斜面に筐体部２を鉛直方向に差し込んでいる状態で地盤がずれた場合、傾斜検出装置１が傾斜するようになる。すると、図３に示すように、相対的に振子部３が傾斜するため、その筐体部２に設けられた導電体５の内壁と尖状体３４の先端が接触するようになる。すると、金属プレート４から球状体３３、尖状体３４の先端部を介して導電体５へと通電し、報知部７を介して傾斜状態が外部に報知されるようになる。なお、図３などにおいては、筐体部２を起立させた状態を示しているが、実際には、振子部３が鉛直状態になって筐体部２が傾斜した状態となる。
【００２５】
一方、この傾斜検出装置１の傾斜検出角度を調整する必要がある場合は、この傾斜検出装置１の筐体部２の蓋部２３を取り外して導電体５である金属ナットを回転させ、図４に示すように、金属ナットを下方へと移動させる。このとき、尖状体３４との隙間が僅かながら空くような近い位置に金属ナットを位置させておく。そして、筐体部２の蓋部２３を閉じて再び傾斜面に設置させる。
【００２６】
このような状態で傾斜検出装置１が傾斜すると、錘部３１の自重によって相対的に振子部３が傾斜し、その上端部である尖状体３４が導電体５に接触するようになる。このとき、尖状体３４は導電体５に近い位置まで下げられているため、尖状体３４の外周部分が導電体５の下端部の縁部に接触するようになり、導電体５を下げれば下げるほど、傾斜検出角度が小さくなって、わずかな角度でも検出できるようになる。
【００２７】
このように上記実施の形態によれば、錘部３１の自重によって常に鉛直方向に向くように揺動可能に設けられた振子部３と、当該振子部３に接触可能に設けられた導電体５とを備え、前記振子部３を導電体５に接触させることによって傾斜状態を検出できるようにした傾斜検出装置１において、前記導電体５を、鉛直状態における振子部３の棒状部材３２の軸方向に沿って螺着させ、当該導電体５を螺旋状に回転させることで鉛直軸方向に導電体５を上下方向に変位させて、前記振子部３の先端に設けられた尖状体３４との接触位置を調整できるようにしたので、導電体５との鉛直方向の距離を変えることで、検出できる傾斜検出角度を調整することができるようになる。これにより、従来のようにリング状の導電体９３を付け替えることなく、設置現場で簡単に傾斜検出角度を調整することができるようになる。
【００２８】
なお、本発明は上記実施の形態に限定されることなく種々の態様で実施することができる。
【００２９】
例えば、上記実施の形態では、金属ナットで構成された導電体５をボルト６に螺着させて上下動させるようにしたが、図５に示すように、金属ナット以外のリング状の金属部材５ａを棒状部材３２に通して、その位置を上下動させるようにしてもよい。このように構成すれば、リング状の金属部材５ａを上側に位置させた場合には、検出角度を小さくすることができ、また、リング状の金属部材５ａを下側に位置させた場合には、検出角度を大きくすることができるようになる。
【００３０】
また、上記実施の形態では、上側に設けられた尖状体３４を導電体５に接触させるような逆振子の構成を例に挙げて説明したが、下端側が尖状体や導電体となっているような構成とし、その尖状体と導電体の鉛直方向の距離を離間させて検出角度を調整させるようにしてもよい。また、この場合においても、その金属ナットに替えてリング状の金属部材を棒状部材３２に通すような構成としてもよい。
【００３１】
さらに、上記実施の形態では、筐体部２の蓋部２３を空けて導電体５の鉛直方向の位置を調整するようにしたが、筐体部２の外部からネジを回すことなどによって導電体５の位置を調整できるようにしてもよい。この場合、例えば、ボルト６の頭部を筐体部２の上面に表出させておき、そのボルト６を回転させることによって、そのボルト６に螺着された金属ナットを上下動させるようにしてもよい。
【００３２】
また、上記実施の形態では、導電体５の位置を上下動させることによって傾斜検出角度を調整できるようにしたが、尖状体３４の位置を上下動させることによって傾斜検出角度を調整できるようにしてもよい。
【符号の説明】
【００３３】
１・・・傾斜検出装置
２・・・筐体部
２１・・・埋設部
２２・・・中空部
２３・・・蓋部
３・・・振子部
３１・・・錘部
３２・・・棒状部材
３３・・・球状体
３４・・・尖状体
４・・・金属プレート
４１・・・円形穴
４２・・・凸状部
５、５ａ・・・導電体
６・・・ボルト
７・・・報知部
８・・・・傾斜検出部
８１・・・通電部
【図１】
0006505537.tif 000002
【図２】
0006505537.tif 000003
【図３】
0006505537.tif 000004
【図４】
0006505537.tif 000005
【図５】
0006505537.tif 000006
【図６】
0006505537.tif 000007